(57)【要約】【課題】電子カメラが使用される時には、どのような場合であっても、予備メモリを確実に保持することができる電子カメラを提供する。不要なメモリの有効利用ができ、予備メモリを保持できる機構を提供する。【解決手段】電子カメラの本体に対して、記録可能状態のメモリと別に、記録不可能状態の予備メモリを保持できる機構を設ける。電子カメラの上面、下面、レンズ面、または、内部、外部、電池が挿入される扉部分、電池自身、ストラップの部分などに保持機構を設ける。時計、手帳、ペンダントなどに予備メモリを保持できる機構を設ける。【選択図】図１
2006129343.tif 000002
【特許請求の範囲】
【請求項１】
デジタルデータを取り扱う処理部と、電源部と、記録可能状態で設置された第１のメモリと、記録不可能状態で設置された第２のメモリとからなる携帯機器。
【請求項２】
前記記録不可能状態で設置されている第２のメモリが、前記携帯機器本体の上面または下面部分に設置されている請求項１記載の携帯機器。
【請求項３】
前記記録不可能状態で設置されている第２のメモリが、前記携帯機器の電源部の電池部分に設置されている請求項１記載の携帯機器。
【請求項４】
前記記録不可能状態で設置されている第２のメモリと前記記録可能状態で設置されている第１のメモリが、前記電源部の電池部分に対向して設置されている請求項１記載の携帯機器。
【請求項５】
前記記録不可能状態で設置されている第２のメモリが、前記携帯機器のデジタルデータ入力面に設置されている請求項１記載の携帯機器。
【請求項６】
前記記録不可能状態で設置されている第２のメモリが、前記携帯機器本体の電池交換の開閉機構部分に設置されている請求項１記載の携帯機器。
【請求項７】
前記記録不可能状態で設置されている第２のメモリが、前記携帯端末本体に接続されている連結材に設置されている請求項１記載の携帯機器。
【請求項８】
前記記録不可能状態で設置されている第２のメモリが、前記携帯機器本体の外側から付加される付属部に設置されている請求項１記載の携帯機器。
【請求項９】
デジタルデータを保存するメモリを保持する保持部と、携帯機器に付属させる付属部とからなる携帯機器付属物。
【発明の詳細な説明】
【技術分野】
【０００１】
本発明は、記録媒体としてメモリを用いて静止画を記録する携帯機器に関する。
【背景技術】
【０００２】
近年、写真フィルムから、電子式に画像データを保存する電子カメラが商品化されている。この電子カメラでは、ＣＣＤのような固体撮像素子により画像をデジタル化して、半導体メモリにデジタルデータとして保存する。写真フィルムに匹敵するように、固体撮影素子が開発され、高い分解能化の固体撮影素子が低価格で実現している。この結果、高画質化のために画像データ容量が多くなってきている。そのため、メモリの高容量化の開発も盛んである。通常、メモリは、電子カメラ本体１台に１つのメモリのみ設置されている。特別な場合、例えば、１枚へ記録している間に、別の画像を、もう１枚のメモリへ記録するような場合、１台の電子カメラに、メモリを複数枚もつ電子カメラも考えられている。        
【０００３】
（参考文献１）
【特許文献１】特開２０００−１３１７４５号公報
【発明の開示】
【発明が解決しようとする課題】
【０００４】
しかし、近年、急加速的に、電子カメラの小型化、高性能化が進んでいる。つまり、高画質であり、かつ、望遠機能、自動フォーカス、テブレ補正、フラッシュ機能、動画撮影、保存機能などさまざまで機能がありながら、小型化、薄型化が進んでいる。
【０００５】
この結果、電子カメラの半導体メモリには、高い容量のものがつけられる。しかし、高い容量のメモリが１枚の場合、メモリがいっぱいになった場合のよびをもっている必要があるが、電子カメラの内部には、保持する場所がもうけることができない。
【課題を解決するための手段】
【０００６】
上記目的を達成するために、本発明は以下のように構成する。
【０００７】
本発明の第１態様によれば、デジタルデータを取り扱う処理部と、電源部と、記録可能で状態で設置された第１のメモリと、記録不可能状態で設置された第２のメモリとからなる携帯機器を用いる。
【０００８】
さらに、本発明の第２態様によれば、前記記録不可能状態で設置されている第２のメモリが、前記携帯機器本体の上面または下面部分に設置されている携帯機器を用いる。
【０００９】
さらに、本発明の第３態様によれば、前記記録不可能状態で設置されているメモリが、前記携帯機器の電源部の電池部分に設置されている携帯機器を用いる。
【００１０】
さらに、本発明の第４態様によれば、前記記録不可能状態で設置されている第２のメモリと前記記録可能状態で設置されている第１のメモリが、前記電源部の電池部分に対向して設置されている携帯機器を用いる。
【００１１】
さらに、本発明の第５態様によれば、前記記録不可能状態で設置されている第２のメモリが、前記携帯機器のデジタルデータ入力面に設置されている携帯機器を用いる。
【００１２】
さらに、本発明の第６態様によれば、前記記録不可能状態で設置されている第２のメモリが、前記携帯機器本体の電池交換の開閉機構部分に設置されている携帯機器を用いる。
【００１３】
さらに、本発明の第７態様によれば、前記記録不可能状態で設置されている第２のメモリが、前記携帯端末本体に接続されている連結材に設置されている携帯機器を用いる。
【００１４】
さらに、本発明の第８態様によれば、前記記録不可能状態で設置されている第２のメモリが、前記携帯機器本体の外側から付加される付属品に設置されている携帯機器を用いる。
【００１５】
また、デジタルデータを保存するメモリを保持する保持部と、携帯機器に付属させる付属部とからなる携帯機器付属物を用いる。
【発明の効果】
【００１６】
本発明の第１から５の態様によれば、デジタルデータを取り扱う処理部と、電源部と、記録可能で状態で設置された第１のメモリと、記録不可能状態で設置された第２のメモリとからなる携帯機器を用いるので、メモリを使用している途中で、メモリの容量が満員になった場合に、第２のメモリに交換し継続できる。また、第１のメモリを紛失することも防止できる。
【００１７】
また、第１のメモリを忘れた場合に、第２のメモリを使用することができるので、貴重な画像をもれなく保存でき、非常に有効である。
【００１８】
また、第１のメモリ自身が壊れている場合に、その場で、すぐに、第２のメモリに交換して、画像を保存できるので、貴重な画像をもれなく保存でき、非常に有効である。
【００１９】
また、旧の容量が小さいメモリを第２のメモリとして常備、携帯機器に保持しておくと非常に便利でよい。メモリ容量が小さいものは、容量が小さく、通常の使用には用いることができないが、第２メモリとして利用できる。
【００２０】
また、非常に、重要な画像を保存する場合に、第１メモリと第２メモリの両方に保存すると、非常に安心できる。片方のメモリを紛失した時、壊れた時、メモリを消してしまった時も有効である。
【００２１】
さらに、本発明の第２から第６の態様とによれば、第２のメモリを、携帯機器の上下や扉やその他の開きスペースの部分に設けたので、構造が簡単で、携帯機器の小型化の邪魔にならない。また、携帯機器のどの場所でも、用いることができ、最近の流行のデザインに逆らうことがない。
【００２２】
さらに、本発明の第７と８と９の態様とによれば本体の携帯機器に付加的に予備メモリを保持させるのでだけ、他の携帯機器へも応用できる。その結果、第１から５の態様と同様の効果がある。
【発明を実施するための最良の形態】
【００２３】
以下に、本発明にかかる実施の形態を図面に基づいて詳細に説明する。
【００２４】
本発明の第１の実施形態にかかわる電子カメラを図１に示す。
【００２５】
図１（ａ）に示すように、電子カメラ本体１には、スイッチ２と、フラッシュ３、レンズ４と、メモリ８と、電池７と、予備メモリ５と、予備メモリ挿入口５１、予備メモリ保持部５０とからなる。電子カメラ本体１は、薄型タイプで、レンズ４は、電源を入れると、ふたがあき、指示により、望遠レンズが飛び出す方式である。フラッシュ３は、環境の光強度により自動で動作し、撮影時に、光が発せられる。スイッチ２は、画像をとるためのスイッチである。電池７は、リチウム系の充電放電が繰りかえすタイプの電池である。メモリ８は、図１（ｂ）に示すような形状で、内部に記録できる半導体メモリが存在する。大きさは、約３０ｍｍ×２０ｍｍ×１ｍｍである。メモリは、電池７に比較して小さい。メモリ８は、電子カメラ本体１内部に設置され、画像データが直接、記録できるように、接続されている。外装は樹脂カバーで覆われていて、少し変形できるので、はさんで、とめることができる。メモリには、いろいろな大きさがあるが、それぞれの大きさに応じて、対応すればよい。
【００２６】
予備メモリ５は、予備メモリ挿入口５１から予備メモリ保持部５０の内部へ保持される機構となっている。また、図示はしていないが、電子カメラを制御する基板が、電子カメラ本体１の内部に装着されている。電子カメラ本体１の背面側には、液晶画面や各種操作ボタンがある。
【００２７】
予備メモリ挿入口５１より，挿入された予備メモリ５は、はさんで保持する機構で保持され、繰返し、挿入、取りだしができる。予備メモリ挿入口５１は、図１（ａ）では、電子カメラ本体１の側面であるが、全面のレンズ以外の所や、別の側面でもよい。また、予備メモリ挿入口５１の場所は、電子カメラ本体１の上面、下面でもよい。電子カメラの動作に支障がないところならよい。予備メモリ挿入口５１は、ふたやボタンが設けられるとさらによい。この予備メモリ保持部５０は、電子カメラ本体１の外装に設けられても、後付されてもよい。図１（ａ）では、予備メモリ保持部５０が、電子カメラ本体１の外に付加されているように設置されているが、電子カメラ本体１の外枠と同一の平面にする方が、デザイン的によい。
【００２８】
次に、この電子カメラの動作について説明する。
【００２９】
メモリ８は、レンズ４を通じて撮影されたデジタル画像データを直接保存できるようになっている。図１（ｂ）に示すように、メモリ８の表面に電極８３があり、この電極を通じて、情報を読み書きできる。メモリ８は、電子カメラ本体１に設けられたデータ転送用接続部分に挿入されている。一方、予備メモリ５は、直接、電子カメラ本体と接続されていない。単に、電子カメラ本体１とともに付加されているのみである。つまり、通常、メモリ８を使用している途中で、メモリ８の容量が画像データで満員になった場合に、予備メモリ５を予備メモリ挿入口５１より取りだし、メモリ８と交換することで、撮影を継続できる。また、メモリ８や予備メモリ５が紛失することも防止できる。一度、撮影した貴重な画像データを確実に保存できる。
【００３０】
また、メモリ８自身を忘れた場合に、予備メモリ５を使用することができるので、貴重な画像をもれなく保存でき、非常に有効である。一般に、写真フィルムは、観光地などで販売されているが、メモリは販売されていない。
【００３１】
また、メモリ８自身が壊れている場合に、その場で、すぐに、予備メモリ５に交換して、画像を保存できるので、貴重な画像をもれなく保存でき、非常に有効である。
【００３２】
また、購入時についてくる付属のメモリや、旧の容量が小さいメモリを予備メモリ５として常備、電子カメラに保持しておくと非常によい。メモリ容量が小さいものは、容量が小さく、通常の使用には用いることができないが、予備メモリ５として利用できる。
【００３３】
また、非常に、重要な画像を保存する場合に、メモリ８と予備メモリ５の両方に保存すると、非常に安心できる。片方のメモリを紛失した時、壊れた時、メモリを消してしまった時も有効である。
【００３４】
直接、予備メモリ５は、データを本体とやりとりしないので、構造が簡単で、電子カメラの小型化の邪魔にならない。また、電子カメラ本体１のどの場所でも、用いることができ、最近の流行のデザインに逆らうことがない。
【００３５】
図１では、予備メモリ保持部５０は、本体１の外側に凸状に付加されているが、本体１の外観に対して、凸状にならないようにしてもよい。デザイン的によい。当然、本体１の上面に設けて、スイッチ２と対称な位置にしてもよく、デザイン上つりあう。
【００３６】
本発明の第２の実施形態にかかわる電子カメラを図２に示す。
【００３７】
図２において、第１の実施形態と同じものは説明を省略する。異なるものとして、電池挿入口７１、メモリ挿入口８１、予備メモリ挿入口５１、５２、扉１０が設置されている。電池挿入口７１は、電子カメラ本体１を動作させる電池を挿入する口である。電池は、定期的に充電され、出し入れが頻繁にされる。メモリ挿入口８１は、撮影した画像メモリを記録するメモリ８を挿入する口である。メモリの容量が満員になると取り出され、パソコンなどへメモリ８内のデータを移し、空にして、再度、メモリ挿入口８１へ挿入される。予備メモリ挿入口５１、５２は、直接、画像データを記録しないが、予備で保持するメモリを挿入する口である。扉１０は、電池挿入口７１や予備メモリ挿入口５１やメモリ挿入口８１を覆う扉である。撮影中は、閉じた状態であり、電池やメモリを交換時にあけられる。
【００３８】
第１の実施形態との違いは、予備メモリ５が、電子カメラ本体１の内部に設置されている点である。つまり、本来のメモリの下部に予備メモリが挿入できるように予備メモリ挿入口５１が存在する。
【００３９】
また、別の予備メモリ保持部として、扉１０に予備メモリ挿入口５２を設けて、保持することができる。また、扉１０の内部でなく、表面に張り付けて、保持できることにしてもよい。ワンタッチで取りつけ、取り外しできるようにすればよい。また、扉１０に凹部を設けて、はめ込むことで予備メモリを保持してもよい。
【００４０】
また、図２（ｂ）に示すように、電池挿入口７１に挿入される電池７の部分に予備メモリ保持室５３を設けることができる。
【００４１】
これらの実施形態によれば、外部のデザインを変えることなく、かつ、気がつかず予備メモリを保持することができる。本来の通常使用するメモリの容量が画像データでいっぱいになった時、そのメモリを忘れたときに、使用できるメモリである。
【００４２】
図２（ｂ）では、予備メモリ保持室５３を中央としたが、端部でも、貫通していてもよい。電池内部へ挿入できるようにしてもよい。予備メモリ５がヒッタリ保持できる大きさにすれば、簡単に保持できる。
【００４３】
電池挿入口７１と予備メモリ挿入口５１とメモリ挿入口８１を、図２の構成としたのは、電池がメモリに比較して大きいため、本来のメモリ８と予備メモリ５を電池に対向して並列させて、配列するのが、最も効率的である。また、予備メモリ５は、メモリ８と異なり、電気的に電子カメラ本体と接続されないので、各電子カメラの構造に合うように自由な位置に設定できる。空いているスペースを有効活用できる。
【００４４】
予備メモリ挿入口５１を扉１０の上方に設けたが、扉１０の表面に凹部を設けて、予備メモリを保持してもよい。扉１０の電子カメラ内部側の場合、予備メモリが落下する確率が小さくよい。
【００４５】
本発明の第３の実施形態にかかわる電子カメラを図３（ａ）から図３（ｇ）に示す。電子カメラに関しては、第１の実施形態と同じものは説明を省略する。異なるものとして、図３（ａ）では、ストラップ３０、予備メモリ保持部５４が設置されている。図３（ｂ）では、連結部５４１、予備メモリ保持部５４が設置されている。図３（ｃ）〜図３（ｅ）では、固定具５４２、予備メモリ保持部５４が設置されている。図３（ｆ）では、予備メモリ保持部５４が設置されている。
【００４６】
第１の実施形態との違いは、予備メモリ５が、電子カメラ本体１と分離されて設置されている点である。つまり、ストラップ３０、連結体５６１、固定具５５１、予備メモリ保持部５５を通じて保持されている。これらの付属物は、電子カメラ本体１と別途のものなので、電子カメラ本体１が変わっても使用できる。また、複数の予備メモリ保持部が複数あってもよい。
【００４７】
図３（ａ）の連結部であるストラップ３０は、従来、携帯機器に設けられている運搬時に用いられているストラップをもちいることができる。このストラップ３０に予備メモリ保持部５４を結びつけて、常時、予備メモリ５を保持できる。別途専用のストラップを用いてもよい。
【００４８】
図３（ｂ）の連結部５４１は、図３（ａ）のストラップ３０と似ているが、その違いは、１本のストラップである。その結果、邪魔にならない。２本で環状にすると、ひっかかる場合や、体積的に邪魔になる場合がある。このストラップ３０を人の首にかければ、さらに、忘れないのでよい。運搬によい。ファッション的にもよい。１本のストラップに複数の予備メモリを設けてもよい。
【００４９】
図３（ｃ）の固定具５４２は、２本のゴム状体からなり、電子カメラに予備メモリ保持部５４を保持する。図３（ｄ）にこの予備メモリ保持部５４の詳細にしめす。電子カメラの動作に邪魔にならないように、２本のゴム状のものが設けられている。この２本のゴム状のもののかわりに、図３（ｅ）のように、１本で厚みを厚くして、たとえば、レンズ部分を開口させたり、スイッチ部分を開口させてもよい。ゴム状のものなので、自由に場所を変更できる。
【００５０】
電子カメラ本体１とは、分離して単独で、腕や手帳、カバンなど別の携帯機器などにつけて、常時、身につけていてもよい。
【００５１】
図３（ｆ）の予備メモリ保持部５４は、単独で分離できるもので、磁石などで、電子カメラ本体１へ保持されている。別の方式もある。たとえば、粘着性材料により予備メモリ保持部５４を電子カメラ本体に付属させてもよいし、吸引式の構造、吸盤式の方法で保持してもよい。粘着式の場合、粘着材が電子カメラ本体に残らないように、予備メモリ保持部に付着させておく必要がある。吸着式の場合、電子カメラの表面の平坦性のある部分を設けておく必要がある。粘着性があり吸着式のシート状の中間体を別途用いて、予備メモリ保持部５４と電子カメラ本体１を接続してもよい。
【００５２】
本体と分離して、予備メモリ保持部５４の保持の方法は、図３（ａ）から図３（ｆ）にしめしたが、これらに限らず、いろいろな方式を用いることができる。たとえば、電子カメラ本体１のレンズ部分にカバーがあるタイプなら、そのカバー部分に予備メモリを付属させてもよい。また、電子カメラ以外に、時計や財布、手帳などに予備メモリを保持させてもよい。
【００５３】
本発明の第４の実施形態にかかわる時計、手帳、携帯電話を図４（ａ）と図４（ｂ）と図４（ｃ）にそれぞれ示す。図４（ａ）は、時計６０を示す。時計６０の本体の下部に、予備メモリ保持部５４を設けている。時計は、デジタルでもアナログでもよい。時計のバンド部分６１に、予備メモリ保持部５４を設けてもよい。
【００５４】
図４（ｂ）は、手帳６２の表面に、予備メモリ保持部５４を設けたものである。予備メモリ保持部５４を設ける位置は、手帳表面だけでなく、内部でもよい。手帳でなく、名刺入れの場合も同様である。カバンや筆箱も同様である。  図４（ｃ）に携帯電話６４の例を示す。電池保持部６３に、予備メモリ保持部５４を設けている。このなかに予備メモリ５を挿入し、電池を挿入し、カバーをする。通常は、この予備メモリ５は使用はしない。メモリを忘れた場合や、いっぱいになった場合の非常の場合使用する。
【００５５】
携帯電話に関しては、実施形態１から３に示した電子カメラの例も応用できる。その他、カバン、財布、靴、名刺入れ、キーホルダー、鍵ホルダーにも予備メモリ保持部５４を設けることができる。
【００５６】
電子カメラやパソコンなどのデータを常時に携帯するために、時計や手帳に予備メモリを保持する機構を設けることは非常に有効である。ヘンダントに予備メモリ保持部５４を設けてもよい。メモリの内部半導体以外の部分に貫通穴を設けて、ひもなどを通して、ペンダント、ネックレスなどにしてもよい。
【００５７】
予備メモリのことを中心に記載しているが、予備メモリを、本来のメモリと交換して、本来のメモリの保管場所として利用してもよい。メモリ交換後、大切なデータがはいったメモリをなくすことがなくなり便利である。
【００５８】
電子カメラの実施形態を示したが、電子カメラに限定されず、携帯機器ならよい。たとえば、携帯電話、ノートパソコン、電子手帳、各種携帯情報機器などがあげられる。
【００５９】
一般にメモリ媒体は小さく、紛失する場合や、破損する場合があるが、今回の発明を実施すれば、解決される。
【図面の簡単な説明】
【００６０】
【図１】（ａ）本発明の一の実施形態にかかる電子カメラの模式外観斜視図（ｂ）本発明の一の実施形態にかかる電子カメラに挿入するメモリ模式外観斜視図
【図２】（ａ）本発明の一の実施形態にかかる電子カメラの模式外観斜視図（ｂ）本発明の一の実施形態にかかる電子カメラに挿入する電池の模式外観斜視図
【図３】（ａ）〜（ｃ）本発明の一の実施形態にかかる電子カメラの模式外観斜視図（ｄ）本発明の一の実施形態にかかる電子カメラ用固定具の模式外観斜視図（ｅ）〜（ｆ）本発明の一の実施形態にかかる電子カメラの模式外観斜視図
【図４】（ａ）本発明の一の実施形態にかかる時計の模式外観斜視図（ｂ）本発明の一の実施形態にかかる手帳の模式外観斜視図（ｃ）本発明の一の実施形態にかかる携帯電話の模式外観斜視図
【符号の説明】
【００６１】
１  電子カメラ本体
２  スイッチ
３  フラッシュ
４  レンズ
５  予備メモリ
７  電池
８  メモリ
１０  扉
３０  ストラップ
３２  メモリ入れ
４１  付加機構
５０  予備メモリ保持部
５１  予備メモリ挿入口
５３  予備メモリ保持室
５４  予備メモリ保持部
５４１  連結部
５４２  固定具
６０  時計本体
６１  時計バンド
６２  手帳
７１  電池挿入口
８１  予備メモリ挿入口
８３  電極
【図１】
2006129343.tif 000003
【図２】
2006129343.tif 000004
【図３】
2006129343.tif 000005
【図４】
2006129343.tif 000006